(57)【要約】【課題】冷却効率の向上を図る。【解決手段】ウォータージャケット用スペーサ１０は、ウォータージャケット３３内においてシリンダボア３１を包囲するように配置されるものであって、外周面に複数の突起１９が形成され、複数の突起１９は、隣り合う２つの突起１９の間を通過する冷却水Ｆの流動方向前方に別の突起１９が位置するような位置関係で配置されている。【選択図】図１
2014148945.tif 000002
【特許請求の範囲】
【請求項１】
ウォータージャケット内においてシリンダボアを包囲するように配置されるウォータージャケット用スペーサであって、
外周面に複数の突起が形成され、
前記複数の突起は、隣り合う２つの前記突起の間を通過する冷却水の流動方向前方に別の前記突起が位置するような位置関係で配置されていることを特徴とするウォータージャケット用スペーサ。
【請求項２】
前記外周面から突出し、冷却水を前記シリンダボアにおける高温領域側から低温領域側に向かって誘導する誘導部を備えていることを特徴とする請求項１記載のウォータージャケット用スペーサ。
【請求項３】
前記外周面から突出し、周方向に沿って細長く延びた形態であり、前記シリンダボアにおける高温側領域と低温側領域との間での冷却水の流動を規制する規制部を備えていることを特徴とする請求項１又は請求項２記載のウォータージャケット用スペーサ。
【発明の詳細な説明】
【技術分野】
【０００１】
本発明は、ウォータージャケット用スペーサに関するものである。
【背景技術】
【０００２】
特許文献１には、水冷式エンジンのシリンダブロックに形成したウォータージャケット内に、冷却水の流量を調整するためのスペーサを収容する技術が記載されている。ウォータージャケット内に流入した冷却水は、軸線を上下に向けて並列配置された複数のシリンダボア内の熱を順次に奪いながら周方向に流れ、ウォータージャケット外へ流出する。シリンダボアでは、上端部が最も高温になるため、スペーサの外周面には、冷却水を上方へ誘導するための細長い整流リブが突出形成されている。整流リブは、周方向及び上下方向の両方向に対して斜め方向に細長く延びた形態である。冷却水は、下流側へ流動しながら整流リブによって上方へ誘導されるようになっている。
【先行技術文献】
【特許文献】
【０００３】
【特許文献１】特開２００８−１２８１３３号公報
【発明の概要】
【発明が解決しようとする課題】
【０００４】
上記のように斜めに細長く延びた形態の整流リブの場合、次のような問題がある。まず、整流リブの真下では、冷却水が殆ど流入しないため、冷却水が冷却手段としての機能を十分に発揮せずに無駄に滞流した状態となる。また、整流リブに沿って上方へ誘導された冷却水は、概ね層流の状態を保ったままシリンダボアの高温領域を移動して熱を奪うので、比較的速やかに温度が上昇する。これに対し、上方へ誘導されずに低い領域を流れる冷却水は、概ね層流の状態を保ったままシリンダボアのうち比較的温度の低い領域を移動するので、温度上昇は比較的緩やかである。そのため、整流リブよりも下流側では、冷却水が、上下への流動を行わずに層流状態を保ったまま下流端に到達する。したがって、下部を流れる冷却水は、冷却機能を十分に発揮しないままウォータージャケット外へ流出してしまうことになる。
【０００５】
本発明は上記のような事情に基づいて完成されたものであって、冷却効率の向上を図ることを目的とする。
【課題を解決するための手段】
【０００６】
本発明のウォータージャケット用スペーサは、
ウォータージャケット内においてシリンダボアを包囲するように配置されるものであって、
外周面に複数の突起が形成され、
前記複数の突起は、隣り合う２つの前記突起の間を通過する冷却水の流動方向前方に別の前記突起が位置するような位置関係で配置されているところに特徴を有する。
【発明の効果】
【０００７】
この構成によれば、ウォータージャケット内に流入した冷却水は、隣り合う２つの突起の間を通過すると、その流動方向前方に位置する別の突起に衝突する。冷却水を突起に衝突させることで、冷却水の流量調整と流路誘導を図り、高温側の冷却水と低温側の冷却水を撹拌して、冷却効率を向上させることができる。
【図面の簡単な説明】
【０００８】
【図１】実施例１のウォータージャケット用スペーサの側面図
【図２】図１の部分拡大図
【図３】図１の部分拡大図
【図４】ウォータージャケット用スペーサの平面図
【図５】ウォータージャケット用スペーサをウォータージャケット内に取り付けた状態をあらわし、図４におけるＸ−Ｘ線で切断した断面図
【発明を実施するための形態】
【０００９】
本発明のウォータージャケット用スペーサは、
前記外周面から突出し、冷却水を前記シリンダボアにおける高温領域側から低温領域側に向かって誘導する誘導部を備えていてもよい。
この構成によれば、シリンダボアにおける高温領域から熱を奪って高温になった冷却水が、誘導部により、シリンダボアの低温領域に沿って流れてきた冷却水と合流するので、冷却水の撹拌効率が高い。
【００１０】
本発明のウォータージャケット用スペーサは、
前記外周面から突出し、周方向に沿って細長く延びた形態であり、前記シリンダボアにおける高温側領域と低温側領域との間での冷却水の流動を規制する規制部を備えていてもよい。
この構成によれば、ウォータージャケット内に流入した冷却水の一部を、比較的低温のままで下流側へ到達させることができるので、下流側においても良好な冷却機能を発揮させることができる。
【００１１】
＜実施例１＞
以下、本発明を具体化した実施例１を図１〜図５を参照して説明する。
＜ウォータージャケット３３＞
本実施例１のウォータージャケット用スペーサ１０（以下、単に「スペーサ１０」という）の取付け対象は、自動車の内燃機関である４気筒エンジンである。スペーサ１０が取り付けられるシリンダブロック３０内には、軸線を上下方向に向けた４つ（便宜上、図５に示すのは１つだけである）のシリンダボア３１が一列に水平に並んで形成されている。シリンダボア３１内にはピストン３２が昇降可能に収容されている。エンジン駆動中は、ピストン３２が上死点に達すると燃料が燃焼するため、シリンダボア３１内の温度は上端部で最も高くなる。
【００１２】
この高温になるシリンダボア３１を冷却する手段として、シリンダブロック３０には、４つのシリンダボア３１を一括して包囲するとともに、４つのシリンダボア３１の内壁に沿った形状のウォータージャケット３３が形成されている。図４に示すように、ウォータージャケット３３は、複数の円弧状溝部３４を連ねて構成され、全周に亘って連なった形態である。シリンダブロック３０は、シリンダボア３１に臨む内壁部３５と、シリンダブロック３０の外面を構成する外壁部３６とを備え、内壁部３５と外壁部３６との間の空間がウォータージャケット３３となっている。
【００１３】
外壁部３６のうち最も端（図４における左端）に位置する円弧状溝部３４と対応する領域には、冷却水Ｆ（図５を参照）をウォータージャケット３３に流入させるための流入口３７と、冷却水Ｆをウォータージャケット３３外へ流出させるための流出口３８とが形成されている。図４に示すように、シリンダボア３１の軸線と平行な平面視において、流入口３７は、流出口３８よりも反時計回り方向にずれた位置に配置されている。また、図１，５に示すように、シリンダボア３１の軸線と直角な側面視において、流入口３７はウォータージャケット３３の下端部と対応する位置に配置され、流出口３８は、ウォータージャケット３３の上端部と対応する位置に配置されている。
【００１４】
＜スペーサ１０の概要＞
ウォータージャケット３３内には、ウォータージャケット３３内における冷却水Ｆの流量（体積）を少なくするめためのスペーサ１０（請求項に記載のウォータージャケット用スペーサ）が収容されている。スペーサ１０の材料としては、中実の材料（合成樹脂等）や、内部に気泡を有する多孔質材料等を用いることができる。多孔質材料としては、発泡プラスチック、発泡セラミックス、発泡ゴム、発泡金属等を用いることができる。図４に示すように、スペーサ１０の平面視形状は、ウォータージャケット３３と同様、複数の円弧状壁部１１をシリンダボア３１の内壁面（内壁部３５及び外壁部３６）に沿うように全周に亘って連ねた形状をなしている。
【００１５】
図４に示すように、スペーサ１０の内周面には、周方向に間隔を空けた複数の位置決めリブ１２が形成されている。図５に示すように、スペーサ１０は、この位置決めリブ１２を内壁部３５の外周に対して当接又は接近して対向させることにより、ウォータージャケット３３内において水平方向に関して位置決めされている。そして、スペーサ１０の外周面と外壁部３６の内面との間には、スペーサ１０の内周面と内壁部３５の外面との隙間に比べて十分大きな空間が確保されている。
【００１６】
また、図５に示すように、スペーサ１０の高さは、ウォータージャケット３３の全高寸法よりも小さく、スペーサ１０は、ウォータージャケット３３の底面に当接した状態で配置される。したがって、ウォータージャケット３３のうちスペーサ１０と対応する下側領域（つまり、スペーサ１０の外周面と外壁部３６の内面との間の領域）は、スペーサ１０によって溝幅が狭められた下部流動空間４０となっている。また、ウォータージャケット３３のうちスペーサ１０よりも上方の領域は、下部流動空間４０よりも溝幅の広い上部流動空間４１となっている。上記した流入口３７は、下部流動空間４０においてスペーサ１０の外周面と対向するように開口し、流出口３８は、上部流動空間４１において内壁部３５の外面と対向するように開口する。
【００１７】
スペーサ１０の外周面には、スペーサ１０を構成する複数の円弧状壁部１１のうち最も端（図４における左端）に位置する円弧状壁部１１Ｌから突出する仕切部１３が形成されている。仕切部１３は、図１に示すように上下方向に細長くリブ状に突出した形態であり、図４に示すように外壁部３６の内面に対して当接又は接近して対向している。また、周方向（平面視においてウォータージャケット３３内を冷却水Ｆが流動する方向）において、仕切部１３は流入口３７と流出口３８との間に位置する。つまり、流入口３７は、仕切部１３よりも時計回り方向にずれた近傍位置で開口し、流出口３８は、仕切部１３よりも時計回り方向にずれた近傍位置で開口している。
【００１８】
したがって、エンジン駆動中は、図４に矢線Ａで示すように流入口３７からウォータージャケット３３内に流入した冷却水Ｆが、図４に矢線Ｂで示すように平面視において反時計回り方向に流動し、ウォータージャケット３３内をほぼ一周した後、図４に矢線Ｃで示すように、流出口３８からウォータージャケット３３外へ流出するようになっている。尚、以下の説明では、冷却水Ｆの流動方向に関して、平面視における反時計回り方向を下流方向又は下流側と定義し、平面視における時計回り方向を上流方向又は上流側と定義する。
【００１９】
冷却水Ｆは、ウォータージャケット３３内を流動する間に、シリンダボア３１内の熱を奪って徐々に温度上昇していく。ところが、上述したように、エンジン駆動中はシリンダボア３１の上端部（高温側領域）が最も高温になる。そして、シリンダボア３１の上端部と同じ高さで対応する上部流動空間４１には、内部３５が直接臨んでいるので、シリンダボア３１内の熱は上部流動空間４１側へ伝達し易い。これに対し、下部流動空間４０と内壁部３５との間にはスペーサ１０が介在しているので、シリンダボア３１における下端側領域（低温領域）の熱は下部流動空間４０側へ伝達し難い。
【００２０】
このため、ウォータージャケット３３内において冷却水Ｆが層流状態で周方向に流動した場合には、上部流動空間４１内の冷却水Ｆが速やかに温度上昇するのに対し、下部流動空間４０内の冷却水Ｆの温度上昇は、上部流動空間４１内の冷却水Ｆに比べて緩やかとなる。その結果、下部流動空間４０を流れる冷却水Ｆは、十分な冷却機能を発揮しないまま流出口３８から流出されてしまうことになる。
【００２１】
＜冷却機能向上の手段＞
この対策として、スペーサ１０の外周面には、上部流動空間４１内の冷却水Ｆと下部流動空間４０内の冷却水Ｆの撹拌を促進するための手段が形成されている。この撹拌促進手段は、複数（本実施例では８つ）の上側規制部１４（請求項に記載の規制部）と、複数（本実施例では６つ）の下側規制部１５（請求項に記載の規制部）と、複数（本実施例では８つ）の下向き誘導部１６（請求項に記載の誘導部）と、複数（本実施例では７つ）の上向き誘導部１７と、複数の突起１９とを備えて構成されている。
【００２２】
＜規制部１４，１５及び誘導部１６，１７＞
図１に示すように、上側規制部１４は、スペーサ１０の上端縁からリブ状に突出して、周方向に細長く延びた形態である。１つのシリンダボア３１に対して２つの上側規制部１４が挟むように配置され、スペーサ１０の外周面のうち外周側へ膨らんでいる領域に上側規制部１４が位置している。上側規制部１４は、下部流動空間４０と上部流動空間４１との間を区画するように位置している。各上側規制部１４の下流側端部には、夫々、下流方向斜め下向きへ片持ち状に延出した形態の下向き誘導部１６が繋がっている。また、８つの上側規制部１４のうち最も上流側（図１，２における左端）に位置する上側規制部１４を除いた７つの上側規制部１４の上流側端部には、夫々、上流方向斜め下向きへ片持ち状に延出した形態（つまり、下流方向に向かって斜め上向きの形態）の上向き誘導部１７が繋がっている。
【００２３】
下側規制部１５は、上下方向においてスペーサ１０のほぼ中央高さ（つまり、上側規制部１４よりも低い位置）に配置され、リブ状に突出するとともに、周方向に沿って（つまり、側面視において上側規制部１４とほぼ平行に）細長く延びた形態である。隣り合うシリンダボア３１の境界部分に対して２つの下側規制部１５が挟むように配置され、スペーサ１０の外周面のうち凹んだ領域に下側規制部１５が位置している。下側規制部１５は、下部流動空間４０内を上下に仕切るように配置されている。各下側規制部１５の上面には、夫々、上方へ突出した形態の撹拌促進部１８が形成されている。撹拌促進部１８は、下側規制部１５の長さ方向における略中央領域、即ちスペーサ１０の外周面のうち最も凹んだ領域に配置されている。
【００２４】
図１に示すように、上側規制部１４と下側規制部１５は、周方向において交互に段違い状に並ぶように配置されている。下向き誘導部１６の延出端と上向き誘導部１７の延出端は、いずれも、下側規制部１５の上面を指向する向きとなっている。また、下部流動空間４０のうち上下方向において下側規制部１５よりも上方であり、且つ周方向において隣り合う上側規制部１４の間の領域は、撹拌空間４２となっている。撹拌空間４２は、周方向に間隔を空けた６箇所に間隔を空けて配置されている。
【００２５】
各撹拌空間４２の上端は上部流動空間４１に開口（連通）している。各撹拌空間４２の上流端は、後述する上部誘導路４５に連通し、撹拌空間４２の下流端には、後述する第２突起群２４が隣接している。下向き誘導部１６は撹拌空間４２の上流端上端部に位置し、上向き誘導部１７は撹拌空間４２の下流端上端部に位置している。撹拌促進部１８は、撹拌空間４２内に突出している。
【００２６】
＜突起１９及び突起群２０，２４，２５の概要＞
各突起１９は、スペーサ１０の外周面から略直角に突出する円柱形である。つまり、スペーサ１０の外周面と直角方向に投影した突起１９の形状は、真円形である。尚、図１〜３では、スペーサ１０の外周面のうち紙面に対して斜めをなす領域から突出する突起１９に関しても、便宜上、真円形に描いている。この円柱形状は、複数の突起１９において同一である。また、突起１９の外径寸法と突出寸法も、全ての突起１９において同一寸法である。
【００２７】
複数の突起１９は、１つの第１突起群２０と、７つの第２突起群２４と、５つの第３突起群２５に分けられている。各突起群２０，２４，２５は、複数の突起１９を千鳥配置等の所定の形態で配置して構成されている。各突起群２０，２４，２５は、その突起１９の配置に応じて、冷却水Ｆを所定の方向へ誘導する流動方向誘導機能と、冷却水Ｆを通過させることでその冷却水Ｆの流量を絞る流量制限機能と、冷却水Ｆを通過させることでその冷却水Ｆの流れを乱流状にする乱流発生機能のうちいずれかの機能を発揮するようになっている。
【００２８】
＜第１突起群２０＞
第１突起群２０は、最も上流側（つまり、流入口３７よりも下流側の最近傍領域）に位置する上側規制部１４の下方に配置されている。詳しくは、第１突起群２０は、この上側規制部１４の上流側領域と対応するように配置されている。図２に示すように、第１突起群２０は、複数（本実施例では７つ）の突起１９を上下方向（周方向と直交な方向）に一定ピッチで一列に並べて構成した直列突起群２１を有する。直列突起群２１の上下方向における配置領域は、スペーサ１０の上端近くから下端近くに亘る範囲である。
【００２９】
下部流動空間４０のうち仕切部１３と直列突起群２１との間の上下方向に直線状に延びる領域は、上昇誘導路４３となっている。流入口３７から下部流動空間４０の下端部に流入した冷却水Ｆの一部は、上昇誘導路４３内を概ね層流状となって直列突起群２１と仕切部１３に沿いながら上方へ流動する。したがって、第１突起群２０（直列突起群２１）は、流動方向誘導機能を発揮する。
【００３０】
図２に示すように、第１突起群２０は、直列突起群２１における下端側に配置された複数の突起１９と、これらの突起１９の下流側近傍において下側規制部１５の下方に配置された複数（本実施例では７つ）の突起１９とで構成された下部突起群２２を備えている。下部突起群２２の周方向における形成領域は、最も上流側に位置する下側規制部１５の上流側端部よりも少し上流側の領域から、この下側規制部１５の上流側端部と対応する領域に亘る範囲である。下部流動空間４０において、下側規制部１５より下方の空間のうち下部突起群２２よりも下流側の領域は、下部誘導路４４となっている。
【００３１】
下部突起群２２は、複数の突起１９が点在することによって流路が狭められているので、下部突起群２２を通過する冷却水Ｆの流量は、上昇誘導路４３に比べて少ない。したがって、下部突起群２２は、流量制限機能を発揮する。また、下部突起群２２を構成する複数の突起１９は千鳥配置されているので、隣り合う突起１９の間を通過した冷却水Ｆは、通過直後に別の突起１９に衝突する。突起１９への衝突により、冷却水Ｆは、流れの向きを変える。また、突起１９への衝突によって流れの向きを変えた冷却水Ｆ同士も、互いに衝突して更に向きを変える。これにより、下部突起群２２を通過した冷却水Ｆは、乱流状となって下流側へ移動する。したがって、下部突起群２２は、乱流発生機能を発揮する。
【００３２】
第１突起群２０は、直列突起群２１における上端側に配置された複数の突起１９と、これらの突起１９の下流側において上下に並ぶように配置された複数（本実施例では２つ）の突起１９とで構成された上部突起群２３を備えている。上部突起群２３の上下方向における形成領域は、下側規制部１５よりも上方の範囲である。上部突起群２３の周方向における形成領域は、最も上流側に位置する上側規制部１４の上流側端部と対応する範囲である。
【００３３】
上側規制部１４と下側規制部１５との間の空間のうち上部突起群２３よりも下流側の領域は、上部誘導路４５となっている。上部誘導路４５の下流端は撹拌空間４２に連通している。上部突起群２３は、複数の突起１９が点在することによって流路が狭められているので、下部突起群２２と同様、流量制限機能を発揮する。また、上部突起群２３を構成する複数の突起１９は千鳥配置されているので、下部突起群２２と同様、乱流発生機能を発揮する。
【００３４】
＜第２突起群２４＞
図２，３に示すように、第２突起群２４は、上下方向に配置された複数（本実施例では３つ）の突起１９と、これらの突起１９の下流側近傍において上下に並ぶように配置された複数（本実施例では２つ）の突起１９とから構成されている。第２突起群２４の上下方向における形成領域は、上側規制部１４と下側規制部１５との間の領域（つまり、撹拌空間４２と同じ高さ領域）である。また、第２突起群２４の周方向における形成領域は、下側規制部１５の下流側端部よりも少し上流側の領域から、上側規制部１４の上流側端部と対応する領域（詳しくは、上向き誘導部１７の下流側近傍領域）に亘る範囲である。
【００３５】
第２突起群２４は、それよりも上流側の撹拌空間４２に隣接している。また、上側規制部１４と下側規制部１５との間の空間のうち第２突起群２４よりも下流側の領域は、上部誘導路４５となっている。上部誘導路４５の下流端は撹拌空間４２に連通している。第２突起群２４は、複数の突起１９が点在することによって流路が狭められているので、下部突起群２２及び上部突起群２３と同様、流量制限機能を発揮する。また、第２突起群２４を構成する突起１９は、千鳥状に配置されているので、下部突起群２２及び上部突起群２３と同様、乱流発生機能を発揮する。
【００３６】
＜第３突起群２５＞
図２，３に示すように、第３突起群２５は、千鳥状に配置された複数（本実施例では８つ）の突起１９から構成されている。第３突起群２５の上下方向における形成領域は、下側規制部１５より下方の領域（つまり、撹拌空間４２よりも下方の領域）である。また、第３突起群２５の周方向における形成領域は、下側規制部１５の上流側端部よりも少し上流側の領域から、この下側規制部１５の上流側端部と対応する領域に亘る範囲である。下側規制部１５より下方の空間のうち第３突起群２５よりも下流側の領域は、下部誘導路４４となっている。
【００３７】
第３突起群２５の上流側に隣接する空間は、この第３突起群２５の上流側に位置する下部誘導路４４の下流端と、この第３突起群２５の上方に位置する上部誘導路４５の上流端とに連通する傾斜誘導路４６となっている。第３突起群２５を構成する突起１９のうち上流端側の縁部に沿って配置された複数の突起１９は、傾斜誘導路４６に臨んでいて、傾斜誘導路４６の経路に沿って周方向下流側に向かって登り勾配となるように並んで配置されている。したがって、第３突起群２５は、流動方向誘導機能を発揮する。
【００３８】
第３突起群２５は、複数の突起１９が点在することによって流路が狭められているので、下部突起群２２、上部突起群２３及び第２突起群２４と同様、流量制限機能を発揮する。また、第３突起群２５を構成する複数の突起１９は、千鳥状に配置されているので、下部突起群２２、上部突起群２３及び第２突起群２４と同様、乱流発生機能を発揮する。
【００３９】
＜作用及び効果＞
流入口３７から下部流動空間４０の下端部に流入した冷却水Ｆの一部は、図２に矢線Ｄで示すように、第１突起群２０の直列突起群２１の流動方向誘導機能により、上昇誘導路４３を概ね層流状となってほぼ真上に流動し、上部流動空間４１に流入する。上部流動空間４１に流入した冷却水Ｆは、周方向に沿って下流側へ移動しながらシリンダボア３１の高温領域の熱を奪い、次第に温度が上昇する。上部流動空間４１を流れる冷却水Ｆの一部は、下向き誘導部１６の傾斜により誘導されて、図２に矢線Ｅで示すように、撹拌空間４２内に流入する。
【００４０】
また、上昇誘導路４３を上昇する冷却水Ｆの一部は、上昇の途中で上部突起群２３内に流入する。このとき、上部突起群２３の流量制限機能により、冷却水Ｆの上部突起群２３への流入量は、上昇誘導路４３を流れる冷却水Ｆの流量よりも少ない。上部突起群２３を通過する間、冷却水Ｆは、上部突起群２３の乱流発生機能により、流路をランダムに変える。そして、乱流状態となった冷却水Ｆは、図２に矢線Ｆで示すように、上部誘導路４５内を下流側へ流動し、撹拌空間４２内に流入する。
【００４１】
撹拌空間４２内では、上部流動空間４１から流入した冷却水Ｆと、上部誘導路４５から流入した冷却水Ｆとが合流して撹拌される。上部流動空間４１から撹拌空間４２に流入する冷却水Ｆの温度は比較的高く、上部誘導路４５から撹拌空間４２に流入する冷却水Ｆの温度は比較的低いので、この温度差のある冷却水Ｆは、撹拌される間に熱伝達を行う。尚、冷却水Ｆは、撹拌促進部１８に衝突することによって、撹拌が促進される。
【００４２】
撹拌空間４２内で撹拌された冷却水Ｆの温度は、この撹拌空間４２内に流入する前よりも低くなる。そして、この撹拌された冷却水Ｆの一部は、図２に矢線Ｇで示すように、上向き誘導部１７によって上部流動空間４１へ流出し、高温の冷却水Ｆと合流する。これにより、上部流動空間４１のうち撹拌空間４２よりも下流側では、冷却水Ｆの温度が下げられる。
【００４３】
撹拌空間４２で撹拌された冷却水Ｆのうち上部流動空間４１へ流出しなかった冷却水Ｆは、第２突起群２４内に流入する。第２突起群２４は流量制限機能を有するので、上部流動空間４１へ流出する冷却水Ｆよりも、第２突起群２４への冷却水Ｆの流入量は少ない。第２突起群２４を通過する間、冷却水Ｆは、第２突起群２４の乱流発生機能により流路をランダムに変える。そして、乱流状態となった冷却水Ｆは、図２に矢線Ｈで示すように、上部誘導路４５内を下流側へ流動し、撹拌空間４２内に流入する。
【００４４】
また、流入口３７から下部流動空間４０の下端部に流入した冷却水Ｆの一部は、上昇誘導路４３を上昇せずに、下部突起群２２内に流入する。このとき、下部突起群２２の流量制限機能により、冷却水Ｆの下部突起群２２への流入量は、上昇誘導路を流れる冷却水Ｆの流量よりも少ない。下部突起群２２を通過する間、冷却水Ｆは、下部突起群２２の乱流発生機能により流路をランダムに変える。そして、乱流状態となった冷却水Ｆは、図２に矢線Ｊで示すように、下部誘導路４４内を下流側へ流動し、その一部は、図２に矢線Ｋで示すように、傾斜誘導路４６を通って撹拌空間４２内に流入する。
【００４５】
この撹拌空間４２では、上部流動空間４１から流入した冷却水Ｆと、第２突起群２４を通過して流入した冷却水Ｆと、下部突起群２２、下部誘導及び傾斜誘導路４６を順に通過して流入した冷却水Ｆが、合流して撹拌される。冷却水Ｆの温度は、上部流動空間４１から流入した冷却水Ｆが最も高く、傾斜誘導路４６から流入した冷却水Ｆが最も低い。これらの温度差のある冷却水Ｆは、撹拌される間に熱伝達を行う。
【００４６】
また、下部誘導路４４を通過した冷却水Ｆのうち傾斜誘導路４６から撹拌空間４２へ流入しなかったものは、第３突起群２５内に流入する。第３突起群２５は流量制限機能を有するので、傾斜誘導路４６から撹拌空間４２へ流出する冷却水Ｆよりも、第３突起群２５への冷却水Ｆの流入量は少ない。第３突起群２５を通過する間、冷却水Ｆは、第３突起群２５の乱流発生機能により流路をランダムに変える。そして、乱流状態となった冷却水Ｆは、図２，３に矢線Ｍで示すように、下部誘導路４４内を下流側へ流動し、その一部は、図３に矢線Ｎで示すように、傾斜誘導路４６を通って撹拌空間４２内に流入する。
【００４７】
上述したように、周方向に間隔を空けて設けた複数の撹拌空間４２では、夫々、図２，３に矢線Ｅで示すように上部流動空間４１から流入した比較的高温の冷却水Ｆが、比較的低温の冷却水Ｆと合流して撹拌され、温度が下げられた状態となって上部流動空間４１に戻るようになっている。したがって、上部流動空間４１を流れる冷却水Ｆによる冷却機能に優れている。
【００４８】
また、上部流動空間４１内の冷却水Ｆの温度は、下流側に向かうほど高くなるため、上流側と下流側での冷却性能に差が生じることは避けられない。しかし、冷却水Ｆの一部は、図２，３に矢線Ｊ，Ｍ，Ｐで示すように、下部突起群２２と第３突起群２５と下部誘導路４４（つまり、下部流動空間４０における下端側領域）を通過することによって比較的低温のままで下流端に到達するようになっている。そして、この顧客的低温の冷却水Ｆは、下流端に至る途中で第３突起群２５の流量制限機能と傾斜誘導路４６とにより、図２，３に矢線Ｋ，Ｎで示すように、撹拌空間４２へ送り込まれるようになっている。したがって、下流端側においても、上部流動空間４１内の高温の冷却水Ｆを、低温の冷却水Ｆで冷却することが可能となっている。
【００４９】
本実施例のスペーサ１０は、ウォータージャケット３３内においてシリンダボア３１を包囲するように配置されるものであって、外周面に複数の突起１９が形成され、複数の突起１９は、隣り合う２つの突起１９の間を通過する冷却水Ｆの流動方向前方（この場合の流動方向は、水平方向に限らず、上下方向や、水平方向に対して斜めの方向も含む）に別の突起１９が位置するような位置関係で配置されている。この構成によれば、ウォータージャケット３３内に流入した冷却水Ｆは、隣り合う２つの突起１９の間を通過すると、その流動方向前方に位置する別の突起１９に衝突する。冷却水Ｆを突起１９に衝突させることで、冷却水Ｆの流量調整と流路誘導を図り、高温側の冷却水Ｆと低温側の冷却水Ｆを撹拌して、冷却効率を向上させることができる。
【００５０】
また、スペーサ１０は、その外周面から突出し、冷却水Ｆをシリンダボア３１における高温領域側（上部流動空間４１）から低温領域側（下部流動空間４０）に向かって誘導する下向き誘導部１６を備えている。この構成によれば、シリンダボア３１における高温領域から熱を奪って高温になった冷却水Ｆが、下向き誘導部１６により撹拌空間４２内に引き込まれ、シリンダボア３１の低温領域に沿って流れてきた冷却水Ｆと合流するので、冷却水Ｆの撹拌効率が高い。
【００５１】
また、スペーサ１０の外周面には、周方向に沿って細長く延びた形態であり、シリンダボア３１における高温側領域（上部流動空間４１）と低温側領域（下部流動空間４０）との間での冷却水Ｆの流動を規制する上側規制部１４が突出形成されている。同じくスペーサ１０の外周面には、周方向に沿って細長く延びた形態であり、シリンダボア３１における高温側領域（上部流動空間４１及び上部誘導路４５）と低温側領域（下部誘導路４４）との間での冷却水Ｆの流動を規制する下側規制部１５とが突出形成されている。この構成によれば、ウォータージャケット３３内に流入した冷却水Ｆの一部を、比較的低温のままで下流側へ到達させることができるので、下流側においても良好な冷却機能を発揮させることができる。
【００５２】
＜他の実施例＞
本発明は上記記述及び図面によって説明した実施例に限定されるものではなく、例えば次のような実施例も本発明の技術的範囲に含まれる。
（１）上記実施例では、突起１９の形状と大きさを、全て同一としたが、形状の異なる複数種類の突起や、大きさの異なる複数種類の突起を設けてもよい。この場合、異なる形状の突起を隣接して配置してもよく、大きさの異なる突起を隣接して配置してもよい。
（２）上記実施例では、突起１９の形状を真円形としたが、突起の形状は、楕円形、長円形、多角形（正方形、長方形、台形、三角形等）、直線と曲線を組み合わせた形状等、種々の形態のものを用いることができる。
（３）上記実施例では、外周面からの突起１９の突出寸法を、全て同一寸法としたが、外周面からの突出寸法が異なる複数種類の突起を設けてもよい。
（４）上記実施例では、上部規制部１４と下向き誘導部１６を繋げた形態としたが、上部規制部と下向き誘導部は、夫々独立して互いに離間した位置関係であってもよい。
（５）上記実施例では、上部規制部１４と上向き誘導部１７を繋げた形態としたが、上部規制部と上向き誘導部は、夫々独立して互いに離間した位置関係であってもよい。
（６）上記実施例では、上部規制部１４に下向き誘導部１６と上向き誘導部１７を繋げた形態としたが、上部規制部には、下向き誘導部と上向き誘導部繋のうちいずれか一方の誘導部だけを繋げるようにしてもよい。
（７）上記実施例において、上部規制部１４に繋がる下向き誘導部１６と同機能の下向き誘導部を、下側規制部１５に繋げてもよい。
（８）上記実施例において、上部規制部１４に繋がる上向き誘導部１７と同機能の上向き誘導部を、下側規制部１５に繋げてもよい。
（９）上記実施例では、上部規制部１４を、シリンダボア３１の軸線と直角な側面視において、水平方向に直線状に延びる形態としたが、上部規制部は、側面視において、水平方向に対して斜め方向に延びる形態としてもよく、屈曲経路又は湾曲経路に沿って延びる形態としてもよい。
（１０）上記実施例では、下側規制部１５を、シリンダボア３１の軸線と直角な側面視において、水平方向に直線状に延びる形態としたが、下側規制部は、側面視において、水平方向に対して斜め方向に延びる形態としてもよく、屈曲経路又は湾曲経路に沿って延びる形態としてもよい。
（１１）上記実施例では、高低差のある上部規制部１４と下側規制部１５の２種類の規制部を形成したが、規制部は、高低差のない１種類のものであってもよく、高低差のある３種類以上の規制部を設けてもよい。
（１２）上記実施例では、下側規制部１５の上面（撹拌空間４２に臨む面）に撹拌促進部１８を形成したが、下側規制部１５に撹拌促進部１８を形成しない形態としてもよい。
（１３）上記実施例における上部規制部１４と下部規制部１５の数は、任意に変更することができる。
（１４）上記実施例における各突起群２０，２１，２２，２３，２４，２５を構成する突起１９の数は、任意に変更することができる。
（１５）上記実施例では、突起群２０，２１，２２，２３，２４，２５を、上側規制部１４又は下側規制部１５の上流端部と対応する領域に配置したが、突起群は、上側規制部又は下側規制部の下流端部や周方向における中央部と対応する領域に配置してもよい。
（１６）上記実施例では、シリンダボア３１の軸線が上下方向を向いたエンジンに適用した例を説明したが、本発明は、シリンダボアの軸線が水平方向を向いた水平対向エンジンにも適用できる。
【符号の説明】
【００５３】
１０…スペーサ（ウォータージャケット用スペーサ）
１４…上部規制部（規制部）
１５…下側規制部（規制部）
１６…下向き誘導部（誘導部）
１９…突起
３１…シリンダボア
３３…ウォータージャケット
Ｆ…冷却水
【図１】
2014148945.tif 000003
【図２】
2014148945.tif 000004
【図３】
2014148945.tif 000005
【図４】
2014148945.tif 000006
【図５】
2014148945.tif 000007